(57)【要約】【課題】所定のターゲットユーザ層に指向したＷｅｂサイトが提供する検索エンジンが検索結果として出力する複数の該当情報候補の順位付けを該ターゲットユーザ層の関心度に適合させる。【解決手段】専門化サイト用サーバ３は、Ｗｅｂページ上のオブジェクトについての各ユーザ操作に対し、そのユーザと該オブジェクトの点数とを対応付けた取得点数履歴を作成する履歴作成部１２と、各ユーザについての取得点数履歴に基づいて各ユーザをランク分けするランク分け部１３と、検索エンジン１６が検索結果として所定の順位付けによる順位を付けて出力した複数の該当情報候補４３からユーザが選択した該当情報候補４３に対し、該ユーザのランクに応じた加算点数を該該当情報候補４３の累積点数に加算して、該累積点数を更新する累積点数更新部１４と、各該当情報候補４３の順位を更新後の累積点数に基づいて更新する順位更新部１５とを備える。【選択図】図１
2014160430.tif 000002
【特許請求の範囲】
【請求項１】
ユーザ端末から受信した検索指示に基づいて検索を実施して、検索により見付けた複数の該当情報候補を所定の順位付けによる順位を付けて示す検索結果を前記ユーザ端末に表示する表示データを前記ユーザ端末に送信する検索エンジンを提供するＷｅｂサイトの管理装置であって、
該Ｗｅｂサイトに属するＷｅｂページ上の複数のリンク付きオブジェクトに対して前記Ｗｅｂサイトのターゲットユーザ層の想定関心度に応じて設定された点数が記憶される点数記憶部と、
前記リンク付きオブジェクトについてのユーザ操作に対し、該ユーザ操作を行ったユーザを識別するとともに、該ユーザ操作の行われたリンク付きオブジェクトに設定されている点数を前記点数記憶部から読出し、該点数を、識別したユーザの今回のユーザ操作に対する取得点数として取得点数履歴を作成する履歴作成部と、
ユーザ端末を介して前記Ｗｅｂサイトに属するＷｅｂページを閲覧している各ユーザが前記ターゲットユーザ層に属する可能性を、各ユーザについての取得点数履歴に基づいて判断し、各ユーザを、前記ターゲットユーザ層に属する可能性が高いほど高ランクとなるように、ランク分けするランク分け部と、
前記検索エンジンからの表示データに基づいてユーザ端末機に表示された検索結果からユーザが選択した該当情報候補に対し、該該当情報候補に対応付けて設定した累積点数を、該ユーザのランクに応じた加算点数を加算することにより更新する累積点数更新部と、
前記所定の順位付けにおける各該当情報候補の順位を前記累積点数更新部による更新後の累積点数に基づいて更新する順位更新部とを備えることを特徴とするＷｅｂサイト管理装置。
【請求項２】
請求項１記載のＷｅｂサイト管理装置において、
前記ランク分け部は、各ユーザについての取得点数履歴における取得点数の平均値、中央値又は最頻値に基づいて各ユーザをランク分けすることを特徴とするＷｅｂサイト管理装置。
【請求項３】
請求項１又は２記載のＷｅｂサイト管理装置において
前記点数記憶部は、前記検索エンジンが出力した検索結果からユーザが複数の該当情報候補を選択した場合は、時間的に後に選択した該当情報候補の加算点数を、時間的に前に選択した該当情報候補の加算点数より大にすることを特徴とするＷｅｂサイト管理装置。
【発明の詳細な説明】
【技術分野】
【０００１】
本発明は、特定のターゲットユーザ層のユーザに特化してサービスを提供するＷｅｂサイトの管理装置に関する。
【背景技術】
【０００２】
Ｗｅｂサイトにアクセスして来るネットユーザ（以下、単に「ユーザ」という。）に対して、そのユーザの嗜好に合った情報を提供するための処理を行うＷｅｂサイトの管理装置が提案されている。
【０００３】
例えば、特許文献１に記載された推薦情報提供装置は、Ｗｅｂページにおいてユーザが選択したリンク付きオブジェクトの同一性に基づいて、ユーザをいくつかのユーザグループに振り分ける。そして、各ユーザに提供する情報は、各ユーザが属するユーザグループに基づいて決定される。該推薦情報提供装置は、Ｗｅｂページに埋め込まれた複数のリンクについてリンク間の相関を示す相関表をユーザ操作に基づいて作成する（特許文献１／段落００４４及び図８）。
【０００４】
該推薦情報提供装置は、また、相関表の分析に基づいて、類似する操作を行うユーザが属するユーザグループを抽出し、サイト管理者に、所定のユーザグループがどのリンクに興味を示しているかを提示する（特許文献１／図１４）。
【０００５】
一方、検索エンジンにより検索された該当情報候補と、検索を指示したユーザの嗜好との合致度を計算する検索装置も知られている。
【０００６】
例えば、特許文献２に記載されている検索システムでは、予め、データに対してユーザから満足度のアンケートを取って（特許文献２／図４及び図７〜図９）、ユーザ嗜好をユーザ要素値として算出しておき、検索結果のデータに対してユーザ嗜好との合致度を所定の計算式で計算し、ユーザ嗜好との合致度の高いデータを上位とする（特許文献２／段落００２１及び００２２）。
【先行技術文献】
【特許文献】
【０００７】
【特許文献１】特開２０１１−３９６９７号公報
【特許文献２】特開２０１２−８３９７７号公報
【発明の概要】
【発明が解決しようとする課題】
【０００８】
ユーザを特定のターゲットユーザ層に絞って、ターゲットユーザ層指向のサービスを提供する特化又はセグメント化したＷｅｂサイト（以下、「専門化サイト」という。）が存在する。専門化サイトは、それが提供する検索エンジンの検索結果に含まれる該当情報候補の順位付けにターゲットユーザ層の嗜好を反映しようとする場合には、検索エンジンが出力した検索結果に含まれる複数の該当情報候補からターゲットユーザ層が今回の検索の目当てとしてどの該当情報候補を選択したかを調査して、該当情報候補に対するターゲットユーザ層の嗜好を把握する必要がある。
【０００９】
しかしながら、専門化サイトには、ターゲットユーザ層のユーザだけではなく、非ターゲットユーザ層のユーザも少なからず訪れて、検索エンジンを利用していくことがある。その場合、専門化サイトの管理者が、各該当情報候補に対するターゲットユーザ層のユーザの嗜好を精確に把握するためには、各ユーザがターゲットユーザ層であるか非ターゲットユーザ層であるかを識別し、非ターゲットユーザ層のユーザが選択した該当情報候補は除外しなければならない。
【００１０】
ここで、特許文献１の推薦情報提供装置を採用して、専門化サイトを運用した場合、ユーザが選択したリンク付きオブジェクトの同一性に基づいてユーザの振り分けが行われるので、異なるリンク付きオブジェクトに対して操作を行うユーザ同士は、別のユーザグループに振り分けられる。したがって、専門化サイトのターゲットユーザ層に所定のユーザグループを対応付けると、ターゲットユーザ層の嗜好の範囲が極めて狭くなり、有る程度の嗜好の幅をもたせたターゲットユーザ層のユーザを的確に抽出できない。
【００１１】
特許文献２の検索システムでは、検索したデータについての順位付けのために、データに対する満足度のアンケート情報をユーザから収集する必要がある。忙しいユーザにとってはアンケートの回答は煩雑であるので、十分な数の回答を収集できず、信頼できる順位付けが確立できるまで、相当の時間がかかる。また、該検索システムにおけるデータの得点付けの基になるデータ要素値は、各Ｗｅｂページについての全ユーザの満足度の平均値としているので、ターゲットユーザ層やユーザグループに指向した得点付けはできない。
【００１２】
本発明の目的は、所定のターゲットユーザ層に指向したＷｅｂサイトにおいて、該Ｗｅｂサイトが提供する検索エンジンが検索結果として出力する複数の該当情報候補の順位付けを該ターゲットユーザ層の関心度に適合させるＷｅｂサイト管理装置を提供することである。
【課題を解決するための手段】
【００１３】
本発明のＷｅｂサイト管理装置は、ユーザ端末から受信した検索指示に基づいて検索を実施して、検索により見付けた複数の該当情報候補を所定の順位付けによる順位を付けて示す検索結果を前記ユーザ端末に表示する表示データを前記ユーザ端末に送信する検索エンジンを提供するＷｅｂサイトの管理装置であって、該Ｗｅｂサイトに属するＷｅｂページ上の複数のリンク付きオブジェクトに対して前記Ｗｅｂサイトのターゲットユーザ層の想定関心度に応じて設定された点数が記憶される点数記憶部と、前記リンク付きオブジェクトについてのユーザ操作に対し、該ユーザ操作を行ったユーザを識別するとともに、該ユーザ操作の行われたリンク付きオブジェクトに設定されている点数を前記点数記憶部から読出し、該点数を、識別したユーザの今回のユーザ操作に対する取得点数として取得点数履歴を作成する履歴作成部と、ユーザ端末を介して前記Ｗｅｂサイトに属するＷｅｂページを閲覧している各ユーザが前記ターゲットユーザ層に属する可能性を、各ユーザについての取得点数履歴に基づいて判断し、各ユーザを、前記ターゲットユーザ層に属する可能性が高いほど高ランクとなるように、ランク分けするランク分け部と、前記検索エンジンからの表示データに基づいてユーザ端末機に表示された検索結果からユーザが選択した該当情報候補に対し、該該当情報候補に対応付けて設定した累積点数を、該ユーザのランクに応じた加算点数を加算することにより更新する累積点数更新部と、前記所定の順位付けにおける各該当情報候補の順位を前記累積点数更新部による更新後の累積点数に基づいて更新する順位更新部とを備えることを特徴とする。
【００１４】
本発明よれば、ターゲットユーザ層の複数のユーザが、異なるリンク付きオブジェクトを操作しても、該異なるリンク付きオブジェクトに対して、ターゲットユーザ層の想定関心度に応じて設定された点数がほぼ同一であれば、該複数のユーザは、ほぼ同一の点数を取得し、また、ターゲットユーザ層の想定関心度に応じて設定された点数が相違していれば、該複数のユーザは、相違した点数を取得する。この結果、複数のユーザが、異なるリンク付きオブジェクトを操作しても、ターゲットユーザ層に属する可能性に応じて適切にランク分けすることができる。そして、このようにして、適切にランク分けされた各ユーザの該当情報候補の選択について、高ランクのユーザほど、すなわち、ターゲットユーザ層に属する可能性の高いユーザが選択した該当情報候補ほど、累積点数を大きな加算点数の加算により更新されるので、検索エンジンが検索結果として出力する複数の該当情報候補の順位付けを該ターゲットユーザ層の関心度に適合させることができる。
【００１５】
好ましくは、前記ランク分け部は、各ユーザについての取得点数履歴における取得点数の平均値、中央値又は最頻値に基づいて各ユーザをランク分けする。
【００１６】
Ｗｅｂサイトに属するＷｅｂページ上の各リンク付きオブジェクトには、ターゲットユーザ層の想定関心度に応じた点数が設定されている。すなわち、ターゲットユーザ層の想定関心度の高いリンク付きオブジェクトと、低いリンク付きオブジェクトとは、異なる点数が付けられている。この結果、各ユーザを、取得点数の平均値、中央値又は最頻値に基づいて円滑にランク分けすることができる。
【００１７】
前記点数記憶部は、前記検索エンジンが出力した検索結果からユーザが複数の該当情報候補を選択した場合は、時間的に後に選択した該当情報候補の加算点数を、時間的に前に選択した該当情報候補の加算点数より大にすることができる。
【００１８】
検索エンジンが検索結果として出力した各該当情報候補には、例えば、見出しと数行の概略のみというように、最小限の内容しか提示されていないので、ユーザは各該当情報候補の内容がよく分からないまま、１つの該当情報候補に対して選択操作して、そのＷｅｂページを閲覧することがある。そして、閲覧して初めて、選択した該当情報候補が間違い又は不適切であったことに気付き、再び、複数の該当情報候補の提示画面に戻って、別の該当情報候補を選択し直すことがある。その場合、ユーザが後から選択した該当情報候補の方が、前に選択した該当情報候補よりユーザの検索の目当てに合致したものとなるので、ユーザが後から選択した該当情報候補の加算点数を、先に選択した該当情報候補の加算点数より大きくすることにより、該当情報候補の順位付けを適正化することができる。
【図面の簡単な説明】
【００１９】
【図１】管理装置を実装する専門化サイト用サーバと総合サイト用サーバ等との関係についての模式図。
【図２】専門化サイト用サーバの専門化サイト編集者による編集作業のフローチャート。
【図３】専門化サイト編集者が総合サイトからサービス等を選択する時に編集者端末に表示される選択用画面部分を例示する図。
【図４】専門化サイト編集者が専門化サイトのＷｅｂページを編集する時に表示される画面部分を例示する図。
【図５】専門化サイト用サーバが実施する処理の内、検索関連の処理のフローチャート。
【図６】履歴作成部がユーザの操作に対して作成するログを示す図。
【図７】ランク分け部がユーザのランク分けを行う処理のフローチャート。
【図８】ランク分け部が所定のユーザについて図６のログから抽出した取得点数履歴を示す図。
【図９】累積点数更新部及び順位更新部が該当情報候補の順位付けする処理のフローチャート。
【図１０】検索エンジンの出力に基づくユーザ端末における検索結果リストの画面例を示す図。
【発明を実施するための形態】
【００２０】
図１を参照して、Ｗｅｂサイト管理装置１０を実装する専門化サイト用サーバ３と、総合サイト用サーバ２等との関係について説明する。総合サイト用サーバ２及び専門化サイト用サーバ３は、ケーブルを介してインターネット１に接続されている。編集者端末４は、ケーブル又はＷｉ−Ｆｉを介してインターネット１に接続されている。ユーザ端末５ａ〜５ｎは、モバイルを含み、有線又は無線（例：Ｗｉ−Ｆｉや携帯電話回線網等）を介してインターネット１へ接続される。なお、以降、ユーザ端末５ａ〜５ｎを、個々に区別することなく、総称するときは単に「ユーザ端末５」という。
【００２１】
専門化サイト用サーバ３は、インターネット１を介して総合サイト用サーバ２及びユーザ端末５とデータを授受（送信及び受信）する。ユーザ端末５が専門化サイト用サーバ３に接続されている際、ユーザ端末５において起動されている所定のブラウザ上でユーザが行ったユーザ操作は、専門化サイト用サーバ３に通知される。
【００２２】
総合サイト用サーバ２は、ユーザを所定のターゲットユーザ層に絞ることなく、あらゆるユーザに対して、サービス及びコンテンツを提供するポータルサイトとなっている。なお、総合サイト用サーバ２では、ユーザがユーザ操作によりＷｅｂページを掲載コンテンツやレイアウト等に関してカスタマイズできるようにしている。
【００２３】
これに対し、専門化サイト用サーバ３は、その開設者がターゲットユーザ層（後述の図４では、スポーツ新聞愛好者層）を設定し、該設定したターゲットユーザ層に指向するサービスを提供する。なお、サービスとは、具体的には、例えば、検索サービスやコンテンツの提供であり、コンテンツの提供には、Ｗｅｂページに直接、コンテンツを掲載する他に、Ｗｅｂページにはリンクのみを示し、ユーザが該リンクをクリックすることによりリンク先のコンテンツを閲覧する間接的な提供も含むものとする。
【００２４】
図１では、専門化サイト用サーバ３は、図示の簡略化上、１つしか図示されていないが、実際には、１つの総合サイト用サーバ２に対して、該総合サイト用サーバ２から後述のサービスやコンテンツを共用する専門化サイト用サーバ３は、契約数に応じた数、存在する。
【００２５】
編集者端末４は、専門化サイト用サーバ３が提供する専門化サイトの編集者（以下、「専門化サイト編集者」という。）により使用される。専門化サイト編集者は、編集者端末４を使って、専門化サイトのＷｅｂページの編集を行う。ユーザ端末５は、総合サイト用サーバ２や専門化サイト用サーバ３のＷｅｂページを閲覧したり、専門化サイト用サーバ３の検索エンジン１６を利用するユーザにより使用される。
【００２６】
専門化サイト用サーバ３は、Ｗｅｂサイト管理装置１０と、Ｗｅｂサイト管理装置１０により管理される検索エンジン１６とを実装される。なお、検索エンジン１６は、総合サイト用サーバ２に実装されて、専門化サイト用サーバ３のＷｅｂサイト管理装置１０からコマンド制御で管理されるようになっていてもよい。
【００２７】
検索エンジン１６は、ユーザ端末５からの検索指示に基づいて検索を実施して、検索により見付けた複数の該当情報候補４３（図１０）を所定の順位付けによる順位を付けて示す検索結果をユーザ端末５に表示する表示データをユーザ端末５に送る。Ｗｅｂサイト管理装置１０は、点数記憶部１１、履歴作成部１２、ランク分け部１３、累積点数更新部１４及び順位更新部１５を装備する。
【００２８】
点数記憶部１１は、ハードディスク等の大容量の不揮発性メモリから成る。履歴作成部１２〜順位更新部１５は、専門化サイト用サーバ３又は総合サイト用サーバ２に実装されたプログラムの実行に伴い生成される。
【００２９】
検索エンジン１６は、専門化サイト用サーバ３に実装されたプログラムの実行により生成されてもよいし、総合サイト用サーバ２に実装される検索エンジンに処理を委託することもできる。その場合、順位更新部１５は、所定のパラメータを総合サイト用サーバ２の検索エンジンに送信し、専門化サイト用サーバ３の検索エンジン１６と同一の機能を実現させる。
【００３０】
点数記憶部１１〜検索エンジン１６の詳細については、後述のフローチャートの説明に関連して、説明し、ここでは概略を述べる。点数記憶部１１には、専門化サイト（専門化サイト用サーバ３のＷｅｂサイト）に属するＷｅｂページ（例えば後述のトップＷｅｂページ３１）上の複数のリンク付きオブジェクトに対してターゲットユーザ層の想定関心度に応じて設定した点数が記憶される。該点数は、後述するように、専門化サイト編集者が編集者端末４から設定する。
【００３１】
履歴作成部１２は、ユーザ端末５に表示されているＷｅｂページ上のリンク付きオブジェクトについてのユーザ操作に対し、該ユーザ操作を行ったユーザを識別するとともに、該ユーザ操作の行われたリンク付きオブジェクトに設定されている点数を点数記憶部１１から読出し、該点数を、識別したユーザの今回のユーザ操作に対する取得点数として取得点数履歴を作成する。
【００３２】
ランク分け部１３は、ユーザ端末５を介してＷｅｂサイトのＷｅｂページを閲覧している各ユーザがターゲットユーザ層に属する可能性を、各ユーザについての取得点数履歴に基づいて判断し、各ユーザを、ターゲットユーザ層に属する可能性が高いほど高ランクとなるように、ランク分けする。
【００３３】
累積点数更新部１４は、検索エンジン１６からの表示データに基づいてユーザ端末機に表示された検索結果からユーザが選択した該当情報候補４３（図１０）に対し、その累積点数を、該ユーザのランクに応じた加算点数を加算することにより更新する。
【００３４】
順位更新部は、所定の順位付け（具体例は後述）における各該当情報候補の順位を累積点数更新部１４による更新後の累積点数に基づいて更新する。
【００３５】
図２のフローチャートを参照して、専門化サイト用サーバ３の専門化サイト編集者による編集作業について説明する。
【００３６】
ＳＴＥＰ１では、専門化サイト編集者は、専門化サイト用サーバ３の専門化サイトにおいて提供したいサービスや記事（ニュースを含む）を総合サイト用サーバ２から選択する。ＳＴＥＰ２では、専門化サイト編集者は、ＳＴＥＰ１で選択したサービスや記事を、専門化サイト用サーバ３の専門化サイトのトップＷｅｂページ３１（図４）等に貼り付けることにより、専門化サイトの各Ｗｅｂページの編集を行う。
【００３７】
図３は、専門化サイト編集者がＳＴＥＰ１において総合サイトからサービス等を選択する時に編集者端末４に表示される選択用画面部分を示している。図３（ａ）はサービスについての選択用画面部分であり、図３（ｂ）はニュースについての選択用画面部分である。図４は、専門化サイト編集者がＳＴＥＰ２において専門化サイトのＷｅｂページを編集する時に表示される画面部分を示している。図４の画面部分は、ユーザが専門化サイトのＷｅｂページをユーザ端末５のブラウザで閲覧する時の画面部分でもある。
【００３８】
図３及び図４の画面部分は、専門化サイト編集者が、編集者端末４において所定の編集用アプリケーションを起動し、専門化サイト用サーバ３のサービス等選択サイトに認証付きでエントリすると、編集画面として表示される。該編集画面では、図３及び図４の画面部分が同一画面の別々の部位（例：左半部と右半部）や交互に切替えられる画面に表示される。専門化サイト編集者は、編集画面において、図３の画面部分で選択したオブジェクトを図４の画面部分の所定部位へドラッグアンドドロップやコピー＆ペースト等により、図４の画面部分に貼り付けられて、図４のＷｅｂページ３１等の専門化サイトの所定のＷｅｂページを完成させる。
【００３９】
一般に、専門化サイトの開設及び運営には、人手及び手間がかかる。専門化サイトの業者は、サービス及びニュースを総合サイトと共用することにより、専門化サイトの開設及び運営についての負担を大幅に軽減することができる。なお、専門化サイトの業者がサービス及びニュースを総合サイトと共用するときに、総合サイトの業者は、典型的には専門化サイトの業者に共用代金を請求する。
【００４０】
図３（ａ）では、総合サイト用サーバ２の業者が販売する各種サービスの名前が、五十音の「あ」、「か」、「さ」、・・・、「ら」の行別に分類されて表示される。図３（ｂ）では、総合サイト用サーバ２の業者が販売するニュースの見出し（図示せず）が、ジャンル（「国内」、「地域」、「スポーツ」、・・・）別に表示される。サービス一覧は、変更がほとんどないので、専門化サイト編集者がサービス一覧からサービスを選択するのは、専門化サイトを開設する時と、専門化サイトのサービスを変更する時とであり、極めて少ない。これに対し、ニュース一覧は、それに含むニュースが頻繁に変化するので、専門化サイト編集者がニュース一覧を編集時に利用するのは、例えば一日に数回と、頻繁になる。
【００４１】
図４の専門化サイトのトップＷｅｂページ３１は、Ｗｅｂサイト名称欄３２、キーワード入力欄３３、検索ボタン３４、サービス名表示エリア３５、ニュース見出し表示エリア３６及び広告エリア３７を有する。サービス名表示エリア３５、ニュース見出し表示エリア３６、及び広告エリア３７の各オブジェクトにはリンクが埋め込まれている。Ｗｅｂサイト名称欄３２には、トップＷｅｂページ３１の名称が表示される。トップＷｅｂページ３１の名称は、専門化サイト用サーバ３の専門化サイトが設定しているターゲットユーザ層を簡潔に表すように、決定される。本実施形態の専門化サイトは、スポーツ新聞の愛好者をターゲットユーザ層として設定している。該ターゲットユーザ層は、一般に、スポーツ、芸能、エンターテイメント、ゴシップ記事に強い関心を抱く傾向があると、専門化サイト編集者は想定している。
【００４２】
キーワード入力欄３３は、ユーザが検索エンジン１６に検索を指示するキーワードを入力する欄である。検索ボタン３４は、ユーザがキーワード入力欄３３に入力したキーワードについての検索を実施させる時にクリックする部位となっている。サービス名表示エリア３５には、専門化サイトにおいて提供されるサービスの一覧が表示され、広告エリア３７には、所定の広告がリンク付きイメージ又はリンク付きテキストで表示される。
【００４３】
ニュース見出し表示エリア３６には、各ニュースが見出しのみ、又は見出しと概略との対が表示される。ジャンルタグ３８ａ，３８ｂ，３８ｃ，・・・は、ニュース見出し表示エリア３６の上辺に沿って配列され、ニュースのジャンル名（トピックス、国内、スポーツ、・・・）を表示し、ユーザが、自分のユーザ端末５におけるブラウザにおいてジャンルタグ３８ａ，３８ｂ，３８ｃ，・・・のいずれかをクリックすると、ニュース見出し表示エリア３６のジャンルタグ３８ａ，３８ｂ，３８ｃ，・・・の下側の領域に表示されるニュースが、クリックされたジャンルタグ３８ａ，３８ｂ，３８ｃ，・・・に対応したジャンルのニュースに切り替わる。以降、ジャンルタグ３８ａ，３８ｂ，３８ｃ，・・・を総称するときは、単に「ジャンルタグ３８」という。
【００４４】
図２に戻って、ＳＴＥＰ３では、専門化サイト編集者は各リンク付きオブジェクトにランクを設定する。トップＷｅｂページ３１には、リンク付きオブジェクトとして、ニュース見出し表示エリア３６におけるジャンルタグ３８と各ニュース見出し、サービス名表示エリア３５の各サービス名、及び広告エリア３７が存在する。専門化サイト編集者は、これらリンク付きオブジェクトすべてにランクを設定しなくてもよいが、ほぼすべてに設定する。
【００４５】
専門化サイトが複数のＷｅｂページを有する場合には、専門化サイト編集者は各Ｗｅｂページについて編集を行う。専門化サイトのＷｅｂページのリンク付きオブジェクトには、リンク先が専門化サイトの外のＷｅｂページである場合と、専門化サイト内の他のＷｅｂページである場合とがある。
【００４６】
リンク付きオブジェクトのランクは、例えば上から下へＡ〜Ｅの５ランクとして、１００点〜０点までの範囲で２０点刻みに点数が割り付けられる。すなわち、Ａランクは１００点、Ｂランクは８０点、・・・、Ｅランクは０点に設定される。なお、隣接するランク間の点数の刻みは、２０点の一定とすることなく、隣り合うランク間で異ならせてもよい。
【００４７】
専門化サイト編集者は、専門化サイトのユーザの関心度（具体的には、興味や嗜好の度合）を想定し、想定した関心度の大きさに応じてＡ〜Ｅのランクを各リンク付きオブジェクトに設定する。例えば、Ａランクのリンク付きオブジェクトは、専門化サイト編集者が、ターゲットユーザ層のユーザの１００％（ターゲットユーザ層のユーザ全員）が関心を示すと想定したものであり、Ｂランクのリンク付きオブジェクトは、専門化サイト編集者が、ターゲットユーザ層のユーザの８０％が関心を示すと想定したものであり、・・・Ｅランクのリンク付きオブジェクトは、専門化サイト編集者が、ターゲットユーザ層のユーザの０％（ターゲットユーザ層のユーザの誰も）が関心を示さないと想定したものである。
【００４８】
専門化サイト編集者が特にランク分けをしなかったリンク付きオブジェクトは、デフォルトとして最高のＡランク、真ん中のＣランク、最低のＥランク、又はｎｕｌｌに設定することができる。ランクがｎｕｌｌに設定されたリンク付きオブジェクトは、後述のランク外と同様に処理される。
【００４９】
専門化サイト編集者がＡ〜Ｄの各ランクに割り振るリンク付きオブジェクトは例えば次のとおりである。なお、ランク外とは、ユーザ操作の取得点数対象から外されたリンク付きオブジェクトを意味する。ランク外のリンク付きオブジェクトは、ユーザによりクリックされても、該ユーザ操作の履歴（後述の図５のＳＴＥＰ１１）は残されず、その結果、平均値算出（後述の図７のＳＴＥＰ１２２）には使用されない。
Ａランク：「スポーツ」、「Ｍ氏野球引退表明」及び「Ａが新曲発表」。
Ｂランク：「チケット購入」及び「テレビ番組」。
Ｃランク：「オークション」、「地図」、「路線案内」及び「Ｉ氏一回目投票は１位確実か」。
Ｄランク：「株（ファイナンス）」
ランク外：「トピックス」及び「国内」
【００５０】
広告エリア３７の広告のランクは、専門化サイト編集者が広告内容に基づいて広告ごとに設定する。専門化サイト編集者は、例えば、ビールの広告ならば、Ａランクとし、また、お菓子の広告ならば、Ｃランクとする。
【００５１】
当該トップＷｅｂページ３１はスポーツ系をターゲットユーザ層に設定しているのに、トップＷｅｂページ３１のリンク付きオブジェクトを、Ａランクのもののみを集めず、Ｂランク以下のものも混在させた理由は、（ｒ１）スポーツ系のユーザと言えども、本来のスポーツ系の興味以外にも時折りは興味を示すこともあるので、そのことを配慮したこと、（ｒ２）日時によっては、図３（ｂ）のニュースの中にスポーツ系の専門化サイトが興味を示しそうなニュースが１つもないが、ニュース見出し表示エリア３６のニュースを何時間も更新せずに報知する訳にはいかないこと、（ｒ３）当該専門化サイトに訪れるユーザをランク分けするために、ランクＢ以下のリンク付きオブジェクトも適当な割合で挿入する必要があること等である。
【００５２】
トップＷｅｂページ３１の例では、サービス名表示エリア３５の各サービス名のリンク先は総合サイト用サーバ２となっており、広告エリア３７のリンク先は広告主となっており、ニュース見出し表示エリア３６の本欄のニュース見出しのリンク先は、新聞社等のニュースソースのＷｅｂページになっている。当該専門化サイトは、トップＷｅｂページ３１とは別のＷｅｂページとしてのサブＷｅｂページを用意し、トップＷｅｂページ３１に、サブＷｅｂページへ移動するリンク付きオブジェクトを設定して、該サブＷｅｂページの各リンク付きオブジェクトにもＡ〜Ｅのランクを設定することもできる。
【００５３】
図５を参照して、専門化サイト用サーバ３が実施する処理の内、検索関連の処理について説明する。ＳＴＥＰ１１では、履歴作成部１２は、ユーザの操作についてのログ（履歴）を作成する。図６はその一例である。
【００５４】
図６において、各通信レコード（図６の行に相当）は、１つのユーザ操作に対応し、各ユーザ操作に対して、ユーザＩＤ、取得点数及び日時が対応付けられる。履歴作成部１２は、ユーザＩＤをユーザのブラウザから通知されるクッキーやＩＰアドレスに基づいて判断する。履歴作成部１２は、取得点数を、ユーザ操作により操作されたリンク付きオブジェクトを識別し、該識別したリンク付きオブジェクトに付けられている点数を点数記憶部１１から読み出すことにより入手する。
【００５５】
日時は、ユーザ操作が行われた日時を示し、例えば第１行の「２０１３０１０１０７００」は、該ユーザ操作の行われた日時が２０１３年１月１日の７時０分（２４時表現）であることを意味する。図６のログでは、ユーザ操作が日時の降順に並んでいる。
【００５６】
通常は、ユーザがトップＷｅｂページ３１のリンク付きオブジェクトをクリックすると、ブラウザの画面は、専門化サイトとは別のＷｅｂサイトのＷｅｂページに移動する。したがって、該ユーザが次に専門化サイト用サーバ３に再訪して、履歴作成部１２が該ユーザの次の取得点数履歴を生成するまでに、例えば１日後とか数日後とか言うように、相当の時間が開いてしまう。これに対し、トップＷｅｂページ３１の一部のリンク付きオブジェクトのリンク先が専門化サイト用サーバ３のサブＷｅｂページであるときのように、リンク先が専門化サイト用サーバ３内のＷｅｂページに留まる間は、該ユーザがどのリンク付きオブジェクトをクリック操作したかが判明するので、履歴作成部１２は、該ユーザの次の取得点数履歴を、あまり時間を空けずにほぼ続けて生成し、充実させることができる。
【００５７】
図５に戻って、ＳＴＥＰ１２では、ランク分け部１３はユーザのランク分けを行う。詳細は図７を参照して後述する。
【００５８】
ＳＴＥＰ１３では、累積点数更新部１４及び順位更新部１５は該当情報候補４３（図１０）を順位付けする。順位付けについての詳細は図９で後述する。
【００５９】
図７において、図５のＳＴＥＰ１２の詳細について説明する。ＳＴＥＰ１２１では、ランク分け部１３は、ランク分けを行おうとするユーザ（対象ユーザ）について図６のログから直近の所定回数又は直近の所定期間における取得点数履歴を抽出する。
【００６０】
図８は、ランク分け部１３がユーザＡについて図６のログから抽出した取得点数履歴を示している。図８では、ユーザＡのユーザ操作が日時の降順で並んでいる。
【００６１】
図７に戻って、ＳＴＥＰ１２２では、ランク分け部１３は、対象ユーザについて取得点数の平均値を求める。ここで、平均値とは、対象ユーザの取得点数の合計÷対象ユーザのユーザ操作回数である。
【００６２】
ＳＴＥＰ１２３では、ランク分け部１３は、平均値に対応するランクに対象ユーザを割り当てる。ＳＴＥＰ１２３のランクについては、例えば第１〜第３ランクの３つのランクとか、第１〜第５ランクの５つのランクが設定され、平均値の高いユーザほど、高ランク（高い方から第１ランク、第２ランク、・・・とされる）に割り当てられる。なお、ランク分け部１３は、取得点数の平均値に代えて、取得点数の中央値や最頻値により各ユーザをランク分けしてもよい。
【００６３】
図９において、図５のＳＴＥＰ１３の詳細について説明する。ＳＴＥＰ１３１では、累積点数更新部１４は、検索結果の複数の該当情報候補４３（図１０）を所定の順位付けによる順位順に上から下に並べた検索結果リストからユーザが選択した該当情報候補４３を検出する。ここでいう所定の順位付けとは、後述するように、累積点数の多い該当情報候補４３ほど、順位が上となるものである。
【００６４】
図１０は、検索エンジン１６が出力する検索結果についてのユーザ端末５におけるブラウザ画面３０の一例を示している。図１０のブラウザ画面３０は、ユーザが検索エンジン１６に対し「サミット」と「野球」との２つのキーワードをキーワード入力欄３３に入力して検索を指示したときの検索結果に対応する。
【００６５】
検索エンジン１６は、「サミット」と「野球」とをＡＮＤにして両キーワードを含むＷｅｂページを検索する。検索結果は、該当情報候補４３が所定の順位付けによる順位順に上から下へ並べられたリスト形式で表示されている。検索結果のリストでは、該当情報候補４３が該検索実施前の順位順に上から下に並べられる。
【００６６】
ＳＴＥＰ１３２では、累積点数更新部１４は、検索を指示したユーザのランクを読込む。該ユーザのランクは、図７のＳＴＥＰ１２３において設定されて、所定の記憶装置に記憶されたものを、累積点数更新部１４が該記憶装置から読み出したものである。
【００６７】
ＳＴＥＰ１３４では、累積点数更新部１４は、ユーザランクに基づいて加算点数を計算する。具体例を説明するために、ユーザが第１〜第３の３ランクに分けられ、第１〜第３ランクの重みがそれぞれ１，０．５，０に設定され、基礎点数が２０点としたときを説明する。この場合、加算点数は、第１ランクのユーザにより選択された該当情報候補４３に対しては２０（＝２０×１）点、第２ランクのユーザにより選択された該当情報候補４３に対しては１０（＝２０×０．５）点、第３ランクのユーザにより選択された該当情報候補４３に対しては０（＝２０×０）点に設定される。
【００６８】
ＳＴＥＰ１３５では、累積点数更新部１４は、当該該当情報候補４３の累積点数にＳＴＥＰ１３４の加算点数を加算する。各該当情報候補４３は、キーワード別に累積点数が設定される。例えば、ユーザが、図１０において上から２番目の「野球サミット−ヤブログ」を選択したとする。「野球サミット−ヤブログ」は、キーワード「サミット  野球」に対応付けて累積点数の変数ｋが設定される。該ユーザが高ランクのユーザであれば、加算点数は、２０（基礎点数）×１（重み）の２０点となる。したがって、ｋに２０が加算される。なお、キーワード「サミット  野球」とキーワード「野球  サミット」とは、同一のキーワードとする。
【００６９】
ＳＴＥＰ１３６では、順位更新部１５は、所定の順位付けにおける該当情報候補４３の順位を累積点数に基づいて更新する。具体的には、所定の順位付けとは、例えば、累積点数の高い該当情報候補４３ほど、高い順位の該当情報候補４３として検索エンジン１６に処理させる。この結果、図１０において順位が２位の該当情報候補４３「野球サミット−ヤブログ」の累積点数が、１位の該当情報候補４３「海老名  野球の前にゆるキャラサミット」の累積点数を上回れば、１位と２位とが逆転することになる。これに伴い、検索エンジン１６は、その後、「サミット  野球」又は「野球  サミット」をキーワードとする検索指示を受けたときは、該当情報候補４３「野球サミット−ヤブログ」及び該当情報候補４３「海老名  野球の前にゆるキャラサミット」を検索結果リストの上から１番目及び２番目にそれぞれ表示する。
【００７０】
本発明を実施形態について説明したが、本発明は種々に変形して実施することができる。
【００７１】
例えば、実施形態の専門化サイト用サーバ３のＷｅｂサイトのターゲットユーザ層は、スポーツ新聞愛好者層に設定しているが、本発明の専門化サイトのターゲットユーザ層は、これに限定されず、資産運用のユーザや、未婚の若い年代の女性や、その他をターゲットユーザ層似の設定することもできる。
【００７２】
実施形態のＷｅｂページ３１では、リンク付きオブジェクトとしてのニュースすべては、専門化サイト編集者が総合サイト用サーバ２のサイトと共用するものであるが、専門化サイト編集者が自ら取材したニュース等を、サブＷｅｂページに掲載するとともに、該サブＷｅｂページにトップＷｅｂページ３１のリンク付きオブジェクトのリンク先を設定してもよい。
【００７３】
実施形態では、すべてのリンク付きオブジェクトを、ユーザのランク分けの基礎とする平均値算出のためのリンク付きオブジェクトとして使用しているが、専門化サイト編集者は、専門化サイトのターゲットユーザ層だけでなく、非ターゲットユーザ層のターゲットユーザ層も１００％のユーザが関心を示すと想定されるリンク付きオブジェクトについては、ユーザ操作からユーザがターゲットユーザ層か非ターゲットユーザ層かを区別できないので、ユーザ操作の取得点数対象から外してもよい。この場合、ユーザは、取得点数対象外のリンク付きオブジェクトをクリックしても、該ユーザ操作の履歴は残されず、平均値算出には使用されない。
【００７４】
図１０の検索結果には、Ｗｅｂページの該当情報候補４３の見出しと概略しか示されないので、ユーザは、各該当情報候補４３の内容がよく分からないまま、１つの該当情報候補４３に対してクリック操作し、そのＷｅｂページを閲覧することがある。そして、閲覧して初めて、選択した該当情報候補４３が間違い又は不適切であったことに気付き、再び、複数の該当情報候補４３の提示画面に戻って、別の該当情報候補４３を選択し直すことがある。その場合、ユーザが後から選択した該当情報候補４３の方が、前に選択した該当情報候補４３よりユーザの検索の目当てに合致したものとなるので、ユーザが時間的に後から選択した該当情報候補４３の加算点数を、時間的に先に選択した該当情報候補４３の加算点数より大きくすることにより、該当情報候補４３の順位付けを適正化することができる。また、ユーザが後から選択した該当情報候補４３の加算点数を、時間的に先に選択した該当情報候補４３の加算点数より大きくすることには、時間的に先に選択した該当情報候補４３の加算点数は、０にすること、すなわち選択されなかったことにすることも含む。
【符号の説明】
【００７５】
３・・・専門化サイト用サーバ、１０・・・Ｗｅｂサイト管理装置、１１・・・点数記憶部、１２・・・履歴作成部、１３・・・ランク分け部、１４・・・累積点数更新部、１５・・・順位更新部、１６・・・検索エンジン、４３・・・該当情報候補。
【図１】
2014160430.tif 000003
【図２】
2014160430.tif 000004
【図３】
2014160430.tif 000005
【図５】
2014160430.tif 000006
【図６】
2014160430.tif 000007
【図７】
2014160430.tif 000008
【図８】
2014160430.tif 000009
【図９】
2014160430.tif 000010
【図４】
2014160430.tif 000011
【図１０】
2014160430.tif 000012